(57)【特許請求の範囲】
【請求項１】
機械室に形成された開口部を開閉する床板に設けられ、前記開口部の壁面と前記床板との間の隙間を通る水を受ける桶を備え、
前記桶は、前記隙間を通る水を受ける受水位置と、前記床板が前記開口部から取り外し可能となる収納位置との間で変位する乗客コンベヤの防滴装置。
【請求項２】
前記桶を変位させる桶変位装置をさらに備えた請求項１に記載の乗客コンベヤの防滴装置。
【請求項３】
前記桶変位装置は、操作されることによって回転する回転体と、前記回転体が回転することによって前記桶を変位させるロッドとを有している請求項２に記載の乗客コンベヤの防滴装置。
【請求項４】
前記桶変位装置は、前記桶を案内するガイドをさらに有している請求項３に記載の乗客コンベヤの防滴装置。
【請求項５】
前記桶変位装置は、前記回転体を回転させるハンドルをさらに有している請求項３または請求項４に記載の乗客コンベヤの防滴装置。
【請求項６】
前記ハンドルは、前記回転体に対して着脱可能となっている請求項５に記載の乗客コンベヤの防滴装置。
【発明の詳細な説明】
【技術分野】
【０００１】
この発明は、開口部を通って機械室に浸入した水を受ける桶を備えた乗客コンベヤの防滴装置に関する。
【背景技術】
【０００２】
従来、保守作業者が出入りする開口部が形成された機械室と、開口部を開閉する床板とを備えたエスカレータに取り付けられるエスカレータの防滴装置であって、機械室に取り付けられ、開口部を通って機械室に浸入した水を受ける桶を備え、機械室に浸入した水が機械室内を滴下することを防止するエスカレータの防滴装置が知られている（例えば、特許文献１参照）。
【先行技術文献】
【特許文献】
【０００３】
【特許文献１】特開２００８−２３９３３１号公報
【発明の概要】
【発明が解決しようとする課題】
【０００４】
しかしながら、桶が機械室に取り付けられているので、保守作業者の作業スペースが狭くなってしまう。作業スペースを広げるためには、桶を機械室から取り外さなければならず、保守作業者が機械室内で行う保守作業の作業効率が悪いという課題があった。【０００５】
この発明は、上述のような課題を解決するためになされたものであり、その目的は、機械室内で行われる保守作業の作業効率を向上させることができる乗客コンベヤの防滴装置を提供するものである。
【課題を解決するための手段】
【０００６】
この発明に係る乗客コンベヤの防滴装置は、機械室に形成された開口部を開閉する床板に設けられ、開口部の壁面と床板との間の隙間を通る水を受ける桶を備え、桶は、隙間を通る水を受ける受水位置と、床板が開口部から取り外し可能となる収納位置との間で変位する。
【発明の効果】
【０００７】
この発明に係る乗客コンベヤの防滴装置によれば、床板を機械室から取り外して開口部が開く場合に、桶が床板とともに移動するので、床板を機械室から取り外した後に桶を機械室から取り外す作業が不要となる。その結果、機械室内で行われる保守作業の作業効率を向上させることができる。
【図面の簡単な説明】
【０００８】
【図１】この発明の実施の形態１に係るエスカレータを示す側面図である。
【図２】図１の主枠における上階側階床に隣り合う部分を示す平面図である。
【図３】図２の床板を示す側面図である。
【図４】図３の防滴装置を示す底面図である。
【図５】図４の防滴装置において桶が変位した状態を示す図である。
【図６】図４の挿入孔に挿入されるハンドルを示す図である。
【図７】図６のＶＩＩ−ＶＩＩ線に沿って視た矢視断面図である。
【図８】図６のＶＩＩＩ−ＶＩＩＩ線に沿って視た矢視断面図である。
【図９】図６のハンドルが図４の挿入孔に挿入され、ハンドルが回転された場合の回転体および先端部を示す平面図である。
【発明を実施するための形態】
【０００９】
実施の形態１．
図１はこの発明の実施の形態１に係るエスカレータを示す側面図である。乗客コンベヤであるエスカレータは、上階側階床と下階側階床とに渡って設けられた主枠１と、主枠１の内部に設けられ、上階側階床と下階側階床との間を循環移動する複数の踏段２と、主枠１の幅方向に離れて設けられ、それぞれが主枠１に立てられた一対の欄干３と、それぞれの欄干３に設けられ、踏段２と連動して、上階側階床と下階側階床との間を循環移動する一対の移動手摺４とを備えている。
【００１０】
主枠１における上階側階床に隣り合う部分には、機械室１１が形成されている。図２は図１の主枠１における上階側階床に隣り合う部分を示す平面図である。機械室１１には、保守作業者が出入りする開口部１２が形成されている。また、エスカレータは、開口部１２を開閉する複数の床板５をさらに備えている。この例では、２枚の床板５が主枠１の長手方向について並べて配置されている。
【００１１】
図３は図２の床板５を示す側面図である。エスカレータは、防滴装置６をさらに備えている。エスカレータの防滴装置６は、床板５の幅方向両端部のそれぞれに設けられた一対の桶６１を備えている。開口部１２の壁面は、サイド目地１３から構成されている。床板５の幅方向両端部それぞれは、一対のサイド目地１３に支持されている。
【００１２】
サイド目地１３は、断面Ｌ字形状に形成されている。サイド目地１３は、開口部１２における幅方向を向く壁面を構成する。サイド目地１３は、高さ方向に延びる縦板部１３１と、縦板部１３１の下端部から開口部１２における幅方向内側に延びる横板部１３２とを有している。縦板部１３１は、床板５の側面に対向して配置されている。横板部１３２は、床板５の底面における幅方向端部に対向して配置されている。
【００１３】
桶６１は、サイド目地１３よりも下方に設けられるＵ字形状の桶本体６１１と、桶本体６１１から横板部１３２を超えて上方に延びるように形成され、桶本体６１１を支持する桶支持部６１２とを有している。桶本体６１１は、床板５が開口部１２を塞ぎ、保守作業者による保守作業が行われない場合に、横板部１３２の先端部に対して下方から幅方向に跨ぐように配置される。これにより、サイド目地１３と床板５との間の隙間を通る水は、桶本体６１１に受けられる。
【００１４】
図４は図３の防滴装置６を示す底面図である。エスカレータの防滴装置６は、床板５に設けられ床板５の踏面に対して垂直方向に延びる軸線を中心に回転する回転体６２と、回転体６２と一対の桶６１のそれぞれとに接続された一対のロッド６３と、床板５に設けられ、桶６１を案内するガイド６４とをさらに備えている。回転体６２、ロッド６３およびガイド６４から、桶６１を変位させる桶変位装置が構成されている。
【００１５】
回転体６２は、床板５を上方から視た場合に、床板５の中央部に配置されている。回転体６２には、高さ方向に延びる挿入孔６２１が形成されている。挿入孔６２１の形状は、四角形状に形成され、さらに、四角形状の各辺の中央部から外側へ突出する空間が形成された形状となっている。
【００１６】
一対のロッド６３のそれぞれは、回転体６２における互いに対角線上の部分に接続されている。一対のロッド６３の中の一方のロッド６３は、一対の桶６１の中の一方の桶６１の桶支持部６１２に接続され、他方のロッド６３は、他方の桶６１の桶支持部６１２に接続されている。
【００１７】
ガイド６４は、床板５における幅方向両端部であって、床板５における奥行方向両端部のそれぞれに設けられている。ガイド６４は、桶６１の桶本体６１１を下方から支持している。ガイド６４は、桶６１を床板５の幅方向について移動可能になるように案内する。
【００１８】
図５は図４の防滴装置６において桶６１が変位した状態を示す図である。桶６１は、床板５の幅方向について移動することによって、サイド目地１３と床板５との間の隙間を通る水を受ける受水位置と、床板５が開口部１２から取り外し可能となる収納位置との間で変位する。回転体６２は、回転体６２が操作されることによって回転する。ロッド６３は、回転体６２が回転することによって、桶６１を変位させる。
【００１９】
図４に示すように、桶６１の一部がガイド６４よりも幅方向外側に突出している場合に、桶６１の位置が受水位置となる。一方、図５に示すように、桶６１の全体がガイド６４よりも幅方向内側にある場合に、桶６１の位置が収納位置となる。桶６１の位置が収納位置である場合に、桶本体６１１は、サイド目地１３の横板部１３２よりも幅方向内側に配置される。これにより、床板５が開口部１２から取り出し可能となる。一方、桶６１の位置が受水位置である場合に、桶本体６１１は、サイド目地１３の横板部１３２の先端部を下方から幅方向に跨ぐように配置される。この場合に、床板５は、開口部１２から取り外すことができない。また、この場合に、サイド目地１３と床板５との間の隙間を通る水を桶６１が受ける。言い換えれば、桶６１は、開口部１２の壁面と床板５との間の隙間を通る水を受ける。これにより、機械室１１に浸入した水が機械室１１内を滴下することが防止される。
【００２０】
図６は図４の挿入孔６２１に挿入されるハンドルを示す図である。エスカレータの防滴装置６は、回転体６２を回転させるハンドル６５をさらに備えている。ハンドル６５は、取手部６５１と、一端部が取手部６５１に接続された軸部６５２と、軸部６５２の他端部に接続された先端部６５３とを有している。
【００２１】
図７は図６のＶＩＩ−ＶＩＩ線に沿って視た矢視断面図、図８は図６のＶＩＩＩ−ＶＩＩＩ線に沿って視た矢視断面図である。軸部６５２の断面形状は、四角形状となっている。先端部６５３の断面形状は、四角形状に形成され、さらに、四角形状の各辺の中央部から外側へ突出する突出部が形成された形状となっている。先端部６５３は、回転体６２の挿入孔６２１に挿入可能となっている。先端部６５３が挿入孔６２１に挿入された状態でハンドル６５が回転することによって、図４および図５に示すように、回転体６２が回転し、桶６１が受水位置と収納位置との間で変位する。ハンドル６５は、回転体６２に対して着脱可能となっている。
【００２２】
図９は図６のハンドル６５が図４の挿入孔６２１に挿入され、ハンドル６５が回転された場合の回転体６２および先端部６５３を示す平面図である。先端部６５３が挿入孔６２１を貫通し、軸部６５２が挿入孔６２１に挿入された状態で、取手部６５１が回転されると、軸部６５２が連動して回転し、桶６１が受水位置から収納位置に変位する。このとき、先端部６５３は回転しない。したがって、先端部６５３は、回転体６２を下方から支持可能となる。この状態で、ハンドル６５が上方に引き上げられると、床板５および桶６１がハンドル６５とともに引き上げられる。
【００２３】
以上説明したように、この発明の実施の形態１に係るエスカレータの防滴装置６によれば、機械室１１に形成された開口部１２を開閉する床板５に設けられ、開口部１２の壁面と床板５との間の隙間を通る水を受ける桶６１を備え、桶６１は、開口部１２の壁面と床板５との間の隙間を通る水を受ける受水位置と、床板５が開口部１２から取り外し可能となる収納位置との間で変位するので、床板５を機械室１１から取り外して開口部１２が開く場合に、桶６１が床板５とともに移動する。これにより、床板５を機械室１１から取り外した後に桶６１を機械室１１から取り外す作業が不要となる。その結果、機械室１１内で行われる保守作業の作業効率を向上させることができる。また、桶６１が機械室１１から取り外されるので、保守作業が行われる場合に機械室１１がより広くなる。これにより、保守作業の作業効率を向上させることができる。
【００２４】
また、エスカレータの防滴装置６は、桶６１を変位させる桶変位装置をさらに備えているので、保守作業が行われる際に、桶６１を容易に変位させることができる。
【００２５】
また、桶変位装置は、操作されることによって回転する回転体６２と、回転体６２が回転することによって桶６１を変位させるロッド６３とを有しているので、回転体６２を回転させることによって、桶６１を容易に変位させることができる。
【００２６】
また、桶変位装置は、桶６１を案内するガイド６４をさらに有しているので、桶６１をより確実に変位させることができる。
【００２７】
また、桶変位装置は、回転体６２を回転させるハンドル６５をさらに有しているので、保守作業者がハンドル６５を回転させることによって、桶６１を容易に変位させることができる。
【００２８】
また、ハンドル６５は、回転体６２に対して着脱可能となっているので、桶６１を変位させる場合にのみ、ハンドル６５を回転体６２に取り付けることができる。
【００２９】
なお、上記実施の形態１では、保守作業者がハンドル６５を操作することによって、回転体６２が回転する構成について説明したが、モータなどの動力を発生させる動力発生装置を用いて回転体６２を回転させる構成であってもよい。
【００３０】
また、上記実施の形態１では、主枠１における上階側階床に隣り合う部分に機械室１１が形成され、この機械室１１に形成された開口部１２を床板５が開閉し、この開口部１２の壁面と床板５との間の隙間を通る水を受ける防滴装置６の構成について説明したが、主枠１における下階側階床に隣り合う部分に機械室が形成され、この機械室に形成された開口部を床板が開閉し、この開口部の壁面と床板との間の隙間を通る水を受ける防滴装置６であってもよい。
【００３１】
また、上記実施の形態１では、エスカレータの防滴装置６について説明したが、これに限らず、例えば、動く歩道の防滴装置であってもよい。
【符号の説明】
【００３２】
１  主枠、２  踏段、３  欄干、４  移動手摺、５  床板、６  防滴装置、１１  機械室、１２  開口部、１３  サイド目地、６１  桶、６２  回転体、６３  ロッド、６４  ガイド、６５  ハンドル、１３１  縦板部、１３２  横板部、６１１  桶本体、６１２  桶支持部、６２１  挿入孔、６５１  取手部、６５２  軸部、６５３  先端部。
【図１】
0006712092.tif 000002
【図２】
0006712092.tif 000003
【図３】
0006712092.tif 000004
【図４】
0006712092.tif 000005
【図５】
0006712092.tif 000006
【図６】
0006712092.tif 000007
【図７】
0006712092.tif 000008
【図８】
0006712092.tif 000009
【図９】
0006712092.tif 000010